(57)【要約】【課題】音楽に関する操作性を向上する情報提供装置を実現する。【解決手段】音楽が記憶されている音楽記憶媒体１１１と、テキスト情報を受信する第１の通信手段１０１と、第１の通信手段１０１により受信したテキスト情報を音声情報に変換する音声合成部１４９と、音楽情報と音声情報を出力する出力部１４１と、音楽情報と音声情報の出力を操作する操作手段と、操作手段の操作に従って音楽情報と音声情報の出力の制御をする出力制御部１４６とを有し、音声情報の終了後、最初の第１の音楽情報の出力中の操作手段による「戻す」操作により、音声情報に戻り、第１の音楽情報の後の第２の音楽情報以降の出力中における操作手段による「進める」、「戻す」操作は、音楽情報に対してのみ有効となっている。【選択図】    図１
2004226456.tif 000002
【特許請求の範囲】
【請求項１】
テキスト情報を音楽情報と音楽情報との間に挿入して出力する情報提供装置において、
前記音楽情報の出力中における「進める」、「戻す」操作は、前記音楽情報に対してのみ有効であることを特徴とする情報提供装置。
【請求項２】
テキスト情報を音楽情報と音楽情報との間に挿入して出力する情報提供装置において、
前記音声情報の終了後、最初の第１の前記音楽情報の出力中の「戻す」操作により、前記音声情報に戻り、
前記第１の音楽情報の後の第２の音楽情報以降の出力中における「進める」、「戻す」操作は、前記音楽情報に対してのみ有効であることを特徴とする情報提供装置。
【請求項３】
音楽情報が記憶されている記憶手段と、
テキスト情報を受信する通信手段と、
前記通信手段により受信したテキスト情報を音声情報に変換する変換手段と、
前記音楽情報と前記音声情報を出力する出力手段と、
前記音楽情報と前記音声情報の出力を操作する操作手段と、
前記操作手段の操作に従って前記音楽情報と前記音声情報の出力の制御をする出力制御手段とを有し、
前記テキスト情報を前記音楽情報と前記音楽情報との間に挿入して出力する情報提供装置において、
前記音楽情報の出力中における前記操作手段による「進める」、「戻す」操作は、前記音楽情報に対してのみ有効であることを特徴とする情報提供装置。
【請求項４】
音楽情報が記憶されている記憶手段と、
テキスト情報を受信する通信手段と、
前記通信手段により受信したテキスト情報を音声情報に変換する変換手段と、
前記音楽情報と前記音声情報を出力する出力手段と、
前記音楽情報と前記音声情報の出力を操作する操作手段と、
前記操作手段の操作に従って前記音楽情報と前記音声情報の出力の制御をする出力制御手段とを有し、
前記テキスト情報を前記音楽情報と前記音楽情報との間に挿入して出力する情報提供装置において、
前記音声情報の終了後、最初の第１の前記音楽情報の出力中の前記操作手段による「戻す」操作により、前記音声情報に戻り、
前記第１の音楽情報の後の第２の音楽情報以降の出力中における前記操作手段による「進める」、「戻す」操作は、前記音楽情報に対してのみ有効であることを特徴とする情報提供装置。
【発明の詳細な説明】
【０００１】
【発明の属する技術分野】
本発明は、例えば車両に搭載される車載情報提供装置等の情報提供装置に関する。
【０００２】
【従来の技術】
【特許文献】特開２００１−３４３９７９号。
【０００３】
車両の運転中に聴きたい交通情報、天気予報、ニュース、トークなどの情報や音楽の提供順序を、車外のパーソナル・コンピュータなどからユーザーがあらかじめ設定し、運転中、ユーザーが設定した順番に従って上記情報や音楽を提供するという車載情報提供装置が、上記特許文献に記載されている。
【０００４】
【発明が解決しようとする課題】
上記特許文献のように、たとえユーザーが事前に自分で設定した提供順序にしたがって、情報や音楽を提供していても、ユーザーのその時の気分によって前に提供された音楽をもう一度聴きたい、設定した提供順序だともっと後に提供される音楽であるが、先に聴きたいと言う願望はある。しかし、上記特許文献には、音楽や情報提供に関するそのような操作に関する記述はなく、そのような願望を実現することは困難であった。
【０００５】
本発明の目的は、音楽再生の合間に情報を提供する情報提供装置において、音楽に関する操作性を向上することにある。
【０００６】
【課題を解決するための手段】
上記課題を解決するため、本発明は、テキスト情報を音楽情報の間に挿入して出力する情報提供装置において、音楽情報の出力中における「進める」、「戻す」操作は、前記音楽情報に対してのみ有効であるという構成になっている。
【０００７】
【発明の効果】
本発明によれば、音楽再生の合間に情報を提供する情報提供装置において、音楽に関する操作性を向上することができる。
【０００８】
【発明の実施の形態】
以下、図面を用いて本発明の実施の形態について詳細に説明する。なお、以下で説明する図面で、同一機能を有するものは同一符号を付け、その繰り返しの説明は省略する。また、本実施の形態では、情報提供装置として、車両に搭載した車載情報提供装置を例に挙げて説明するが、これに限定されないことはもちろんである。
図１に本発明の実施の形態の構成図を示す。
まず、車載機側について記す。
第１の通信手段１０１は、例えば携帯電話のようなものであり、情報取得部１３１で決められた情報を情報局（センター）に要求したり、要求に応じた情報局からのテキスト情報を取得するために情報局との通信を行う手段である。
【０００９】
現在地取得手段１０２は、例えばＧＰＳ（グローバルポジショニングシステム）のようなものであり、天気情報や交通情報などを取得する際に利用する現在地情報を取得する手段である。
【００１０】
操作取得手段１０６は、スイッチや音声認識などのユーザーによる操作手段（図示省略）の操作を受ける手段であり、提供中の音楽、情報の前トラック、次トラックなどのユーザー操作を受け付ける。
【００１１】
出力音楽提供手段１１０は、出力制御部１４６の指示に従い、音楽を提供する手段であり、音楽記憶媒体１１１と出力音楽決定部１１２とで構成される。音楽記憶媒体１１１は、例えば、ＣＤ（コンパクトディスク）やＭＤ（ミニディスク）、ＨＤ（ハードディスク）、ＤＶＤ（デジタルヴァーサティルディスク）といった音楽（音楽情報）そのものを記憶しておく媒体であり、出力制御部１４６からの指示により、音楽そのものを出力部１４１へ提供する。出力音楽決定部１１２は、出力部１４１がユーザーに音楽を提供するごとに（統合的な出力決定手段１２０がユーザーに音楽の提供を決定するごとに）、次に提供する音楽を決定する部分であり、ユーザーからの指定がなければＣＤやＭＤなどのトラック順に、ユーザーがランダムを指定すればランダムに、ユーザーが再生曲順を指定すれば、指定された順に提供する音楽を決定し、決定された音楽情報（トラックＮｏ．（ナンバー）など）を音楽進行表記憶部１４７に記憶させる部分である。
【００１２】
統合的な出力決定手段１２０は、最終出力決定部１２１で構成され、出力終了検出部１４２から音楽または情報用番組表が終了したことを知らせる出力終了信号を受信すると、情報用番組表作成部１３５からの情報用番組表の有無を知らせる情報フラグにより、情報用番組表を提供するか、音楽を提供するかを決定し、出力制御部１４６に指示する部分である。また、出力制御部１４６に音楽の提供を指示すると、出力音楽決定部１１２に対し、音楽の出力を決定したことを通知する。
【００１３】
出力情報提供手段１３０は、所定時間ごとに第１の通信手段１０１を経由して情報を取得し、取得した情報をもとにＢＧＭ（バックグラウンドミュージック）やＤＪ（ＤＪ（ディスクジョッキー）音声）を決定してユーザーに提供する情報用番組表を作成したり、情報用番組表をユーザーに提供するために、出力制御部１４６の指示に従い、ＤＪやＢＧＭそのもの、およびテキスト情報を提供する手段であり、情報取得部１３１とＤＪ・ＢＧＭ選択部１３２とテキスト情報記憶部１３３とＤＪ・ＢＧＭ記憶部１３４と情報用番組表作成部１３５とで構成される。情報取得部１３１は、取得する情報カテゴリを決定し、第１の通信手段１０１を用いて所定時間ごとに情報局に接続してテキスト情報を取得する。その際、必要であれば、現在地情報を現在地検出手段１０２から取得し、情報局に送る。ここで取得するテキスト情報は、交通情報やニュースなどの一般情報のほか、お店の広告などを含んでいても良い。ＤＪ・ＢＧＭ選択部１３２は、情報用番組表作成部１３５で情報用番組表を作成する際、情報として使われるテキスト情報をもとにＤＪやＢＧＭをＤＪ・ＢＧＭ記憶部１３４の中から選択する部分である。選択の方法として、テキスト情報内のキーワードからＢＧＭを選択する方法や、テキスト情報にあらかじめつけられているフラグなどを参照して選択する方法などを用いる。テキスト情報記憶部１３３は、ＨＤやＣＦ（コンパクトフラッシュ（登録商標））、ＲＡＭ（ランダムアクセスメモリ）などの記憶装置であり、情報取得部１３１が取得したテキスト情報を一時的に記憶しておき、出力制御部１４６の指示に従い、テキスト情報を音声合成部（テキスト情報を音声情報に変換する変換部）１４９へ提供する部分である。ＤＪ・ＢＧＭ記憶部１３４は、ＨＤ、ＣＤ、ＤＶＤ、ＣＦなどの記憶装置であり、テキスト情報記憶部１３３と共通であっても良いし、音楽記憶媒体１１１の一部を利用しても良い。ＤＪ・ＢＧＭ記憶部１３４には、音楽の前後につけるＤＪやＴＴＳのバックに流すＢＧＭが記憶されており、出力制御部１４６の指示に従い、ＤＪやＢＧＭそのものを提供する部分である。また、ここで言うＢＧＭとは、人の声の入っていない、いわゆるバックグラウンドミュージックのほか、自然界の音、例えば、波の音や川のせせらぎ、鳥の鳴き声などであっても良い。情報用番組表作成部１３５は、情報取得部１３１で取得したテキスト情報をもとに、テキスト情報にあったＤＪとＢＧＭとをＤＪ・ＢＧＭ選択部１３２で選択させて情報用番組表を作成し、情報用番組表記憶部１４８に記憶させる部分である。ここで、情報用番組表とは、図５に示されるようなＤＪ・ＢＧＭ・ＴＴＳを組み合わせた進行表であり、この情報用番組表に従って出力手段１４０がユーザーに情報を提供する。情報提供の動作については図６、７にフローで示す（後述）。
【００１４】
出力手段１４０は、統合的な出力決定手段１２０の指示に従い、音楽および情報用番組表の出力を行い、音楽や情報などをユーザーに提供する手段であり、出力部１４１と出力終了検出部１４２とＴＴＳミキシング部１４３とＴＴＳ開始制御部１４４とＢＧＭ終了制御部１４５と出力制御部１４６と音楽進行表記憶部１４７と情報用番組表記憶部１４８と音声合成部１４９とで構成される。出力部１４１は、スピーカーなどの出力装置であり、音楽や情報をユーザーの耳に聞こえるように出力する部分である。出力終了検出部１４２は、音楽の１トラック、または情報用番組表の１つの番組が終了したことを検出し、統合的な出力決定手段１２０に終了を知らせる部分である。ＴＴＳミキシング部１４３は、出力制御部１４６の指示に従い、音声合成部１４９で合成されたＴＴＳとＢＧＭとをミキシングする（重ね合せる）部分であり、出力部１４１からユーザーにＢＧＭとミキシングされたＴＴＳを提供する。ＴＴＳ開始制御部１４４は、ＢＧＭにＴＴＳをミキシングする開始タイミングを制御する部分であり、ＢＧＭを再生した後、所定時間後にＴＴＳのミキシングを開始させる部分である。ＢＧＭ終了制御部１４５は、ＴＴＳのミキシングが終わったあとＢＧＭの終了を制御する部分であり、ＴＴＳ終了後、所定時間後にＢＧＭのフェードアウトを開始させる部分である。出力制御部１４６は、統合的な出力決定手段１２０の指示に従い、音楽進行表記憶部１４７もしくは情報用番組表記憶部１４８にある最新音楽または情報用番組表の再生を開始させる部分である。また、出力制御部１４６は、操作取得手段１０６の操作を受け、ボリュームの変更や音楽、情報の前トラック、次トラック処理を行う機能も持つ。音楽進行表記憶部１４７は、出力音楽決定部１１２で決定された音楽情報を記憶しておく部分であり、統合的な出力決定手段１２０の指示を受けた出力制御部１４６により出力されるかどうかが決定される。情報用番組表記憶部１４８は、情報用番組表作成部１３５で作成された情報用番組表を記憶しておく部分であり、統合的な出力決定手段１２０の指示を受けた出力制御部１４６により出力されるかどうかが決定される。音声合成部１４９は、ＴＴＳ開始制御部１４４のＴＴＳ開始指示によりテキスト情報記憶部１３３に記憶されているテキスト情報をＴＴＳに変換する。
【００１５】
次に、情報局側について説明する。
第２の通信手段１０３は、車載機と情報のやり取りをする通信手段である。処理手段１０４は、記憶手段１０５にある多数の情報の中から、第２の通信手段１０３経由で受信した車載機の要求する情報を抽出し、第２の通信手段１０３経由で車載機に送信する手段である。記憶手段１０５は、車載機に送られる様々な情報を記憶しておく手段である。
【００１６】
図２〜図１１に、本実施の形態の動作フローを示す。
図２に音楽再生タスクのフローを示す。
音楽再生タスクが起動されると、図１に示した出力音楽決定部１１２は、まず、音楽情報（トラックＮｏ．など）Ａが１の場合（２０１）、最初に再生させる音楽を決定し（２０２）、決定された音楽情報（トラックＮｏ．）を音楽進行表記憶部１４７の音楽進行表のトラック−Ａに記憶させる（２０３）。そして、統合的な出力決定手段１２０の指示により出力制御部１４６が音楽トラック−Ａの再生開始を指示し、出力部１４１から提供する（２０４）。また、統合的な出力決定手段１２０は、出力制御部１４６に音楽出力の指示を与えた後、出力音楽決定部１１２に次に再生させる音楽を決定するよう指示し、出力音楽決定部１１２は、次に再生させ音楽を決定する（２０５）。出力音楽決定部１１２で決定された次に再生させたい音楽情報は、音楽進行表記憶部１４７の音楽進行表のトラック（Ａ＋１）に記憶される（２０６）。次に、トラックＡ＝Ａ＋１の場合（２０７）、音楽の再生中にユーザーが操作を行い、操作イベントを受信すると（２０８）、音楽操作フローへ移る（２０９）（図９を用いて後述）。再生が終了すると（２１０）、出力制御部１４６は、情報終了フラグがあるかどうかをチェックし（２１１）、情報終了フラグがあれば、情報終了フラグを消す（２１２）。情報終了フラグは、情報用番組表再生フロー（図６を用いて後述）での情報の再生が終了したことを示すと同時に、情報が終了した直後の音楽再生であることを示すフラグでもある。そして、出力終了検出部１４２が音楽の出力終了を検出し、統合的な出力決定手段１２０に送る。統合的な出力決定手段１２０は、音楽の出力終了を受け、出力情報提供手段１３０からの情報フラグをチェックする（２１３）。情報フラグがあれば、情報用番組表の再生を行う（２１４）（図６）。情報フラグがなければ、出力決定手段１２０は、出力制御部１４６に音楽進行表記憶部１４７に記憶された音楽の再生開始を指示する（２０４）。
【００１７】
図３に、音楽進行表の具体例を示す。
音楽進行表は、次に再生する音楽と、過去に再生した音楽の情報が順に記憶されているものであり、出力音楽決定部１１２で決定された音楽が順次記憶されていく。
【００１８】
図４に、情報取得タスクのフローを示す。
情報取得タスクは、図２の音楽再生タスクとは独立して動作しており、所定時間ごとに情報局にアクセスして情報を取得し、情報用番組表を作成するタスクである。起動されると、情報取得部１３１は、情報取得タイマーをスタートさせ（４０１）、所定時間経過したら（４０２）、情報取得タイマーを一時停止し（４０３）、情報用番組表をクリアし（４０４）、取得する情報カテゴリを決定し（４０５）、決定された情報カテゴリのテキスト情報を第１の通信手段１０１を経由して情報局へ接続し（４０６）、情報局からテキスト情報を取得する（４０７）。この場合、取得する情報が交通情報や天気情報など現在地情報を必要とするものであれば、現在地検出手段１０２から現在地情報を取得して情報局へ接続し、情報を取得する。取得されたテキスト情報はテキスト情報記憶部１３３に記憶される。テキスト情報が取得されると、情報用番組表作成部１３５は、ＤＪ・ＢＧＭ記憶部１３４に記憶されているＤＪとＢＧＭの属性を取得し（４０８）、取得した情報カテゴリからＴＴＳのバックに流すＢＧＭを決定し（４０９）、情報の後に入れるＤＪを決定し（４１０）、図５に示すような情報用番組表として形成し、情報用番組表記億部１４８に記憶し、情報用番組表を作成する（４１１）。情報用番組表の作成が終わると、情報用番組表作成部１３５は、メインタスクに情報用番組表の準備ができたことを知らせる情報フラグを立てる（４１２）。情報フラグが立っている状態で、出力終了検出部１４２が出力終了を検出すると、統合的な出力決定手段１２０は、情報用番組表の再生を開始し、情報用番組表が終了すると、情報フラグを消す（図６の６１１参照）。情報取得タスクでは、情報取得部１３１が情報フラグの状態を監視し（４１３）、状態フラグが消えると、再び情報取得タイマーをスタートさせ（４０１）、情報取得の状態に入る。
【００１９】
図５に、情報用番組表の具体例を示す。
情報用番組表とは、ＴＴＳによる情報と、ＴＴＳのバックに流すＢＧＭと、ＤＪとで構成され、音楽と音楽の間に情報用番組表が再生されることで、ユーザーに情報を提供するためのものである。
【００２０】
図６、図７に、情報用番組表の再生フローと、ＢＧＭ＆ＴＴＳの再生フローをそれぞれ示す。
情報用番組表再生フローとＢＧＭ＆ＴＴＳ再生フローは、音楽再生タスクにおいて音楽の再生が終了し、かつ、情報フラグが立っている状態でのみ使われるフローで、情報用番組表の内容をユーザーに提供するものである。情報用番組表が図５に示されるような構成であったとすると、図６の情報用番組表の再生フローにおいて、まず、出力制御部１４６は、情報用番組表記億部１４８から最新の情報用番組表を参照し、最初に出力する情報トラック−１（Ｂ＝１）の情報を取得し、再生準備をする（６０１）。ここでは、ＤＪ−１がそれにあたり、ＤＪ−１の再生準備をする。本実施の形態では、情報用番組表に記されている情報は、ファイル名のイメージで書かれているが、ＤＪ・ＢＧＭ記憶部１３４のＤＪやＢＧＭに番号が振られていれば、その番号を情報用番組表に記述しておく方法であっても良い。次に、出力制御部１４６は、ＤＪ・ＢＧＭ記憶部１３４内のＤＪ−１にアクセスして出力部１４１からＤＪ−１（情報トラック−Ｂ）の出力を開始する（６０２）。出力を開始すると、出力制御部１４６は現在出力しているものがＢＧＭかどうかをチェックする（６０３）。今回は、ＤＪ−１を出力しているので、次トラックであるＢＧＭ−１（図５参照。トラック（Ｂ＋１））の再生準備をする（６０５）。ここで、もし次トラックが存在しなければ、情報終了フラグを立てて（６０７）、終了通知を行うのだが、今回は、ＢＧＭ−１が存在するので、情報終了フラグは立てずに、ＤＪ−１の再生終了（６０９）を待つ。ＤＪ−１の再生が終了すると、情報終了フラグが立っているかどうかをチェックする（６１０）。今回は情報終了フラグを立ててないので、ＤＪ・ＢＧＭ記憶部１３４にアクセスし、次トラックであるＢＧＭ−１の再生を開始する（６０２）。ＢＧＭ−１の再生が開始されると、現在再生しているのがＢＧＭかどうかをチェックする（６０３）。今回は、再生トラック＝ＢＧＭなので、図７のＢＧＭ＆ＴＴＳ再生フローに移る（６０４）。
【００２１】
図７のＴＴＳ再生のフローにおいて、出力制御部１４６は、ＴＴＳ開始制御部１４４にＴＴＳの開始を制御するように指示し、ＴＴＳ開始制御部１４４は、情報再生タイマーをスタートさせる（７０１）。また、出力制御部１４６は、情報再生タイマーの動作中に、次トラックであるＴＴＳ−１（トラック（Ｂ＋１））の再生準備を行う（７０２）。ＴＴＳ開始制御部１４４の情報再生タイマーがタイムアウトし、情報再生タイマーがタイムアウトしたことが、出力制御部１４６に伝えられると、出力制御部１４６は、テキスト情報記憶部１３３から提供されるＴＴＳ−１のテキスト情報を音声合成部１４９でＴＴＳに変換し、ＴＴＳミキシング部１４３を使ってＴＴＳ−１（トラック−Ｂ）のミキシング再生を開始する（７０５）。ＴＴＳ再生中にユーザーからの操作イベントを受信したかどうかをチェックし（７０６）、ユーザーが操作した場合、情報操作フローへ移る（７０７）（図１０を用いて後述）。ＴＴＳ−１のミキシング再生中にユーザーの操作がなかった場合、情報トラック−Ｂの再生を終了し（７０８）、出力制御部１４６は、次トラック（Ｂ＋１）の再生準備を行い（７０９）、次トラックがＴＴＳかどうかをチェックする（７１０）。ＴＴＳであれば、ＴＴＳ−１を再生したときと同様に、ＴＴＳのミキシング再生を開始する（７０５）。ＴＴＳでないＤＪやＢＧＭ、または、次トラックが存在しない場合、再生しているＢＧＭをフェードアウトする（７１１）。フェードアウト後、次トラックがＴＴＳやＤＪの場合、次トラックの再生を準備し（７１４）、図６の６０２に戻り、情報トラックを再生する。次トラックが存在しなければ、終了フラグを立て（７１３）、図６の終了フラグのチェック（６１０）に戻る。（７１３）で情報終了フラグが立てられるのは、情報用番組表（図５）の最後がＴＴＳになっている場合であり、その場合、情報終了フラグのチェック（６１０）で検出されて、情報フラグを消し（６１１）、情報用番組表再生を終了する（６１２）。
【００２２】
図８に、ユーザー操作取得タスクのフローを示す。
【００２３】
このタスクは、操作取得手段１０６と連動されており、ユーザーによる操作手段（図示省略）の操作情報を出力制御部１４６に伝える。起動されると（８０１）、前トラックスイッチが押された（すなわち、「戻す」操作）かをチェックし（８０２）、次トラックスイッチが押された（すなわち、「進める」操作）かをチェックする（８０５）。次トラックスイッチが押されると、押された回数を記憶し（８０３）、押された回数と共に、次トラックイベントを送信する（８０４）。前トラックスイッチが押されると、押された回数を記憶し（８０６）、押された回数と共に、前トラックイベントを送信する（８０７）。ここでは、操作手段のスイッチによってユーザーの意思を車載機に伝えているが、音声認識のようなスイッチを使わない方法であっても良い。
【００２４】
図９に、音楽操作のフローを示す。
このフローは、図２の音楽再生タスクで音楽再生中にユーザーが操作を行い、図８のユーザー操作取得タスクからの操作イベントを受信する（２０９）ことで開始される。ユーザーが前トラックスイッチを押したとすると、音楽操作フローにおいては、受信したイベントが、前トラックイベントかどうかを確認する（９０１）。前トラックイベントであれば、情報終了フラグがあるかどうかを確認し（９０２）、情報終了フラグがあれば、情報終了フラグを消して（９０３）、情報用番組表の再生フロー（６０１）に戻り、直前にユーザーに提供していた情報用番組表をもう一度再生する。情報終了フラグがなければ、前トラックスイッチの押された回数を取得し（９０４）、押された回数−１だけ音楽トラックを戻して再生する（９０５、９０６、９０８、２０４）。ただし、押された回数−１が再生中の音楽トラック番号以上になった場合は、音楽トラック−１の再生を開始する（９０６、９０７、２０４）。次に、ユーザーが次トラックを押した場合、次トラックの押された回数を取得し（９０９）、取得した回数分先の音楽トラックを決定して音楽進行表に記憶させ（９１０、９１１）、押された回数先の音楽トラックを再生する（９１２、２０４）。
【００２５】
図１０に、情報操作フローを示す。
このフローは、図７の音楽再生ＢＧＭ＆ＴＴＳ再生フローで、ＴＴＳ再生中にユーザーが操作を行い、図８のユーザー操作タスクからの操作イベントを受信する（７０７）ことで開始される。ユーザーが前トラックスイッチを押したとすると、情報操作フローは受信したイベントが、前トラックイベントかどうかを確認する（１００１）。前トラックイベントであれば、前トラックスイッチの押された回数を取得し（１００２）、回数が１回であれば、再生中のＴＴＳをもう一度最初から再生する（１００３、７０５）。押された回数が１回より多ければ、押された回数−１だけ情報トラックを戻し、戻った情報トラックがＴＴＳであれば、そのＴＴＳの再生を開始する（１００５、１００７、１００８、７０５）。戻った情報トラックがＴＴＳ以外のＢＧＭやＤＪであれば、再生中のＢＧＭをフェードアウトさせ、戻った先の情報トラックの再生を開始する（１００７、１００９、１０１０、６０２）。ただし、押された回数−１が再生中の情報トラック数以上の場合は、音楽トラックに戻り、情報用番組表の前に再生していた音楽トラックの再生を開始する（１００５、１００６、２０４）。次に、ユーザーが次トラックスイッチを押した場合、次トラックスイッチの押された回数を取得し（１０１１）、取得した押された回数分先の情報トラックを確認する。送った先の情報トラックがＴＴＳであれば、そのＴＴＳの再生を開始する（１０１３、１０１５、１０１６、７０５）。送った先の情報トラックがＴＴＳ以外のＢＧＭやＤＪであれば、再生中のＢＧＭをフェードアウトさせ、送った先の情報トラックの再生を開始する（１０１５、１０１７、１０１８、６０２）。ただし、再生中の情報トラックと押された回数との和が情報用番組表のトラック数を越えてしまった場合、ＢＧＭをフェードアウトし、音楽再生に戻る（１０１３、１０１４、２０４）。
【００２６】
図１１に、ユーザーへの提供例を示す。
音楽再生中にユーザーが操作した場合、例えば、図中の音楽−４を再生中にユーザーが前トラックスイッチ操作（「戻す」操作）をしたとすると、押した回数が１回であれば、音楽−４の最初から再生する。ユーザーが押した回数が３回であれば、情報−１を飛ばして音楽−２を再生する。次に、次トラックスイッチ操作（「進める」操作）の場合、ユーザーが音楽−４の再生中に次トラックを１回押したとすると、情報−２を飛ばして音楽−５の再生を開始する。情報の再生中にユーザーが操作した場合、例えば、情報−２中のＴＴＳ−５を再生中に前トラックスイッチ操作をしたとすると、１回であれば、再生中のＴＴＳ−５を最初から再生する。押された回数が４回以上であれば、音楽−４の再生を開始する。音楽−４再生中に操作することで、ユーザーはさらに前の音楽を聴くことができる。情報−２中のＴＴＳ−５の再生中、ユーザーが次トラックスイッチ操作をした場合、次トラックを押した回数が１回であれば、情報−２中の次トラックであるＤＪ−２を再生し、２回以上であれば、音楽−５の再生を開始する。音楽−５再生中に操作することで、ユーザーはさらに先の音楽を聴くことができる。また、音楽−３の再生中に、ユーザーが前トラック操作をした場合、押した回数が１回であれば、音楽−３をもう一度最初から再生し、押した回数が１回以上であれば情報−１を聴き逃したと判断し、情報−１のＴＴＳ−１から再生する。
【００２７】
上記のように、本実施の形態では、テキスト情報を音楽情報と音楽情報との間に挿入して出力する情報提供装置において、音楽情報の出力中における操作手段による「進める」、「戻す」操作は、音楽情報に対してのみ有効であるという構成になっている。このように、音楽再生中のユーザー操作は、音楽の提供順のみに反映されるため、ユーザーの操作を低減できる。例えば、ＣＤの音楽再生の合間に情報を挟みこむ場合、ユーザーは、音楽の再生に関して、通常のオーディオ操作と同様に音楽再生の操作が可能となる。
【００２８】
また、音声情報の終了後、最初の第１の音楽情報の出力中の操作手段による「戻す」操作により、音声情報に戻り、第１の音楽情報の後の第２の音楽情報以降の出力中における操作手段による「進める」、「戻す」操作は、音楽情報に対してのみ有効であるという構成になっている。このように、音声情報再生直後の音楽再生中の前トラック操作でのみ音声情報に戻ることが可能なため、ユーザーの操作を低減し、かつ、ユーザーが音声情報を聴き逃した場合でも聴きなおすことが可能となる。例えば、ＣＤの音楽再生の合間に音声情報を挟みこむ場合、情報提供直後の音楽再生中の前トラック操作では直前に提供した音声情報をもう一度提供するが、音声情報提供直後以外の音楽再生中の操作は、ユーザーは通常のオーディオ操作と同様に音楽再生の操作が可能となる。
さらに、本実施の形態の車載情報提供装置では、音楽が記憶されている音楽記憶媒体１１１と、テキスト情報を受信する第１の通信手段１０１と、第１の通信手段１０１により受信したテキスト情報を音声情報に変換する音声合成部１４９と、音楽情報と音声情報を出力する出力部１４１と、音楽情報と音声情報の出力を操作する操作手段と（図示省略）、操作手段の操作に従って前記音楽情報と前記音声情報の出力の制御をする出力制御部１４６とを有している。なお、図１の音楽記憶媒体１１１が、特許請求の範囲の音楽情報が記憶されている記憶手段に相当し、第１の通信手段１０１がテキスト情報を受信する通信手段に相当し、音声合成部１４９が前記通信手段により受信したテキスト情報を音声情報に変換する変換手段に相当し、出力部１４１が前記音楽情報と前記音声情報を出力する出力手段に相当し、出力制御部１４６が前記操作手段の操作に従って前記音楽情報と前記音声情報の出力の制御をする出力制御手段に相当する。
【００２９】
上記特許文献のように、たとえユーザーが事前に自分で設定した提供順序にしたがって、情報や音楽を提供していても、その時の気分によって前に提供された音楽をもう一度聴きたい、設定した提供順序だともっと後に提供される音楽であるが、先に聴きたいと言う願望はある。しかし、上記特許文献には音楽や情報提供時の操作に関する記述はなく、番組の形式を取っていることを考えると、番組表にしたがって音楽や情報をユーザーの操作ごとに、送ったり戻したりすることが考えられる。しかし、ユーザーが音楽を聴きたいと思っている場合に情報を交えて操作することはユーザーに不快感を与えてしまう。本実施の形態では、このような不快感を解消し、音楽に関する操作性を向上することができる。
【００３０】
以上本発明を上記実施の形態に基づいて具体的に説明したが、本発明は上記実施の形態に限定されるものではなく、その要旨を逸脱しない範囲において種々変更可能であることは勿論である。
【図面の簡単な説明】
【図１】本発明の実施の形態の構成図である。
【図２】本発明の実施の形態における音楽再生タスクの動作フローである。
【図３】本発明の実施の形態における音楽進行表の具体例である。
【図４】本発明の実施の形態における割り込み情報タスクの動作フローである。
【図５】本発明の実施の形態における情報用番組表の具体例である。
【図６】本発明の実施の形態における情報用番組表の再生フローである。
【図７】本発明の実施の形態におけるＢＧＭ＆ＴＴＳ再生のフローである。
【図８】本発明の実施の形態におけるユーザー操作取得タスクのフローである。
【図９】本発明の実施の形態における音楽操作フローである。
【図１０】本発明の実施の形態における情報操作フローである。
【図１１】本発明の実施の形態における音楽と情報の再生例である。
【符号の説明】
１０１…第１の通信手段
１０２…現在地検出手段
１０３…第２の通信手段
１０４…処理手段
１０５…記憶手段
１０６…操作取得手段
１１０…出力音楽提供手段
１１１…音楽記憶媒体
１１２…出力音楽決定部
１２０…統合的な出力決定手段
１２１…最終出力決定部
１３０…出力情報提供手段
１３１…情報取得部
１３２…ＤＪ・ＢＧＭ選択部
１３３…テキスト情報記憶部
１３４…ＤＪ・ＢＧＭ記憶部
１３５…情報用番組表作成部
１４０…出力手段
１４１…出力部
１４２…出力終了検出部
１４３…ＴＴＳミキシング部
１４４…ＴＴＳ開始制御部
１４５…ＢＧＭ終了制御部
１４６…出力制御部
１４７…音楽進行表記憶部
１４８…情報用番組表記憶部
１４９…音声合成部
【図１】
2004226456.tif 000003
【図２】
2004226456.tif 000004
【図３】
2004226456.tif 000005
【図４】
2004226456.tif 000006
【図５】
2004226456.tif 000007
【図６】
2004226456.tif 000008
【図７】
2004226456.tif 000009
【図８】
2004226456.tif 000010
【図９】
2004226456.tif 000011
【図１０】
2004226456.tif 000012
【図１１】
2004226456.tif 000013